(57)【特許請求の範囲】
【請求項１】
木杭(1)を、その上部側がやや地上に残った状態になるまで地盤中に建て込むステップ、
杭構成体(4)を回転させ、杭構成体(4)の管体(40)内部に設けられている螺旋部材(41)を前記木杭(1)の上部にねじ込み、木杭(1)の上端部を前記管体(40)内部に設けられている停止板(42)に当てることにより、螺旋部材(41)が木杭(1)にそれ以上ねじ込まれないようにして木杭(1)と杭構成体(4)を一体化するステップ、
前記杭構成体(4)を前記螺旋部材(41)のねじ込み方向に回転させ、その回転力を前記木杭(1)に伝えて杭構成体(4)と木杭(1)が一体となるようにして回し、杭構成体(4)の上部側が地上に残った状態になるまで建て込むステップ、
前記杭構成体(4)の前記管体(40)内部に生コンクリート(C)を流し込んで固化させるステップ、を含む、
基礎用杭の施工方法。
【請求項２】
木杭(1)を、その上部側がやや地上に残った状態になるまで地盤中に建て込むステップ、
木杭(1)に設けた芯部材挿通孔(11)に芯部材(5)を挿入するステップ、
杭構成体(4)を上方から降ろし、木杭(1)に設けた芯部材(5)を、杭構成体(4)の管体(40)内部に設けられている停止板(42)の貫通孔(420)に通して収容するステップ、
杭構成体(4)を回転させ、管体(40)内部に設けられている螺旋部材(41)を木杭(1)の上部にねじ込み、木杭(1)の上端部を前記管体(40)内部に設けられている停止板(42)に当てることにより、螺旋部材(41)が木杭(1)にそれ以上ねじ込まれないようにして木杭(1)と杭構成体(4)を一体化するステップ、
杭構成体(4)を螺旋部材(41)のねじ込み方向に回転させ、その回転力を木杭(1)に伝えて杭構成体(4)と木杭(1)が一体となるようにして回し、杭構成体(4)の上部側が地上に残った状態になるまで建て込むステップ、
杭構成体(4)の管体(40)内部に生コンクリート(C)を流し込んで芯部材(5)を内包するようにして充填し、生コンクリート(C)を杭構成体(4)内に流し込んだ後、そのまま基礎(S)を形成するように型枠内に打設し、生コンクリート(C)を固化させるステップ、を含む、
基礎用杭の施工方法。
【請求項３】
請求項１記載の基礎用杭の施工方法に使用する杭構成体であって、
杭構成体(4)は、木杭(1)の上端面の外径よりもやや大きい内径を有する管体(40)を備えており、前記管体(40)の下部側の内周面には、杭構成体(4)を前記木杭(1)にねじ込んで接合するための螺旋部材(41)が設けてあり、前記管体(40)内の前記螺旋部材(41)の上端が位置する部分には、螺旋部材(41)が所定の深さ以上にねじ込まれないようにする停止板(42)が設けられている、
杭構成体。
【請求項４】
請求項２記載の基礎用杭の施工方法に使用する杭構成体であって、
杭構成体(4)は、木杭(1)の上端面の外径よりもやや大きい内径を有する管体(40)を備えており、前記管体(40)の下部側の内周面には、杭構成体(4)を前記木杭(1)にねじ込んで接合するための螺旋部材(41)が設けてあり、前記管体(40)内の前記螺旋部材(41)の上端が位置する部分には、螺旋部材(41)が所定の深さ以上にねじ込まれないようにする停止板(42)が設けられており、前記停止板(42)の略中央部には、芯部材(5)の直径よりも大きな径を有する貫通孔(420)が形成されている、
杭構成体。
【請求項５】
管体(40)が基礎から外れないようにするための外れ防止部材(43)が、前記管体(40)の外周面または上縁部から外方に突出して設けられている、
請求項３または４記載の杭構成体。
【発明の詳細な説明】
【０００１】
【発明の属する技術分野】
本発明は基礎用杭の施工方法及びそれに使用する杭構成体に関する。更に詳しくは、木杭の上部に接合した杭を回転させることにより、木杭にも回転力を与えることができ、木杭とその上部の杭とを共に回転により建て込むことができるようにしたものに関する。
また、木杭とその上部の杭とを固定して一体化することにより、例えば、地盤が緩んで建築物の重みが基礎に偏ってかかったような場合でも、基礎を浮き上がらせる力の抵抗となるようにしたものに関する。
【０００２】
【従来技術】
基礎用杭は、建築物を建設する際に、その重量を地盤中や地盤中の深部で分散して支えるために施工される。基礎用杭としては、例えば、本発明者が発明した特開平１０−７２８２２号公報に開示されたものがある。この基礎用杭は、木杭の上部にコンクリート杭を接合して設けたものである。木杭とコンクリート杭は、コンクリート杭の下端面から突設してある棒状の接合具を、木杭の上端面から内部に形成してある挿入穴に差し入れて接合してある。
【０００３】
【発明が解決しようとする課題】
上記公報に開示された発明は、一部に木材を使用することで、基礎用杭として十分な機能を備えながらも、全体をコンクリート等で形成したものより安価にできる点で相応の評判を得ていたが、本発明者は更に研究を進め、その結果、次の点が解決できればより好ましい基礎用杭ができることを知見した。
【０００４】
▲１▼木杭とコンクリート杭は接合具で接合されているが、この接合具は木杭に固定されてはいなかった。従って、接合したコンクリート杭を回転させても、その回転力は木杭に伝えることができない。このため基礎用杭は、木杭の上部にコンクリート杭を接合した段階で、振動工法や打撃工法によって建て込んでおり、施工現場の周囲に振動や騒音等を発生させていた。
【０００５】
▲２▼建築物は、通常、基礎上に重みが略均一にかかるように建ててあるが、例えば地盤が緩んだりすれば、建築物の重みが基礎の一部分に偏ってかかることも考えられる。この場合、重みが軽減された部分には、基礎を浮き上がらせようとする力がかかる。従って、基礎用杭が基礎と一体に固定されていても、当該基礎用杭はコンクリート杭と木杭が一体化されていないので、コンクリート杭は木杭から離れて基礎が浮きあがってしまうことが考えられる。
つまり、基礎用杭は、上記のような場合に基礎を浮き上がらせる力の抵抗となることができないと思われる。
【０００６】
（発明の目的）
本発明の目的は、木杭の上部に接合した杭を回転させることにより、木杭にも回転力を与えることができ、木杭とその上部の杭とを共に回転により建て込むことができるようにする基礎用杭の施工方法及びそれに使用する杭構成体を提供することにある。
【０００７】
また、本発明の他の目的は、木杭とその上部の杭とを固定して一体化することにより、例えば、地盤が緩んで建築物の重みが基礎に偏ってかかったような場合でも、基礎を浮き上がらせる力の抵抗となるようにできる基礎用杭の施工方法及びそれに使用する杭構成体を提供することにある。
【０００８】
更に、本発明の他の目的は、コンクリート杭またはそれに相当する構成体からの荷重を木杭の上端面で確実に受けることができるようにして、木杭の上端面の変形を防止することにより、十分な耐圧力が発揮できるようにすることにある。
【０００９】
【課題を解決するための手段】
上記目的を達成するために講じた本発明の手段は次のとおりである。
第１の発明にあっては、
木杭を、その上部側がやや地上に残った状態になるまで地盤中に建て込むステップ、
杭構成体を回転させ、杭構成体の管体内部に設けられている螺旋部材を前記木杭の上部にねじ込み、木杭の上端部を前記管体内部に設けられている停止板に当てることにより、螺旋部材が木杭にそれ以上ねじ込まれないようにして木杭と杭構成体を一体化するステップ、
前記杭構成体を前記螺旋部材のねじ込み方向に回転させ、その回転力を前記木杭に伝えて杭構成体と木杭が一体となるようにして回し、杭構成体の上部側が地上に残った状態になるまで建て込むステップ、
前記杭構成体の前記管体内部に生コンクリートを流し込んで固化させるステップを含む、基礎用杭の施工方法である。
【００１０】
第２の発明にあっては、
木杭を、その上部側がやや地上に残った状態になるまで地盤中に建て込むステップ、
木杭に設けた芯部材挿通孔に芯部材を挿入するステップ、
杭構成体を上方から降ろし、木杭に設けた芯部材を、杭構成体の管体内部に設けられている停止板の貫通孔に通して収容するステップ、
杭構成体を回転させ、管体内部に設けられている螺旋部材を木杭の上部にねじ込み、木杭の上端部を前記管体内部に設けられている停止板に当てることにより、螺旋部材が木杭にそれ以上ねじ込まれないようにして木杭と杭構成体を一体化するステップ、
杭構成体を螺旋部材のねじ込み方向に回転させ、その回転力を木杭に伝えて杭構成体と木杭が一体となるようにして回し、杭構成体の上部側が地上に残った状態になるまで建て込むステップ、
杭構成体の管体内部に生コンクリートを流し込んで芯部材を内包するようにして充填し、生コンクリートを杭構成体内に流し込んだ後、そのまま基礎を形成するように型枠内に打設し、生コンクリートを固化させるステップを含む、基礎用杭の施工方法である。
【００１１】
第３の発明にあっては、
第１の発明に係る基礎用杭の施工方法に使用する杭構成体であって、
杭構成体は、木杭の上端面の外径よりもやや大きい内径を有する管体を備えており、前記管体の下部側の内周面には、杭構成体を前記木杭にねじ込んで接合するための螺旋部材が設けてあり、前記管体内の前記螺旋部材の上端が位置する部分には、螺旋部材が所定の深さ以上にねじ込まれないようにする停止板が設けられている、杭構成体である。
【００１２】
第４の発明にあっては、
第２の発明に係る基礎用杭の施工方法に使用する杭構成体であって、
杭構成体は、木杭の上端面の外径よりもやや大きい内径を有する管体を備えており、前記管体の下部側の内周面には、杭構成体を前記木杭にねじ込んで接合するための螺旋部材が設けてあり、前記管体内の前記螺旋部材の上端が位置する部分には、螺旋部材が所定の深さ以上にねじ込まれないようにする停止板が設けられており、前記停止板の略中央部には、芯部材の直径よりも大きな径を有する貫通孔が形成されている、杭構成体である。
【００１３】
第５の発明にあっては、
管体が基礎から外れないようにするための外れ防止部材が、前記管体の外周面または上縁部から外方に突出して設けられている、第３または第４の発明に係る杭構成体である。
【００１８】
本明細書にいう「木杭」としては、通常、アカマツ、クロマツ等のいわゆるマツ杭が使用されるが、これに限定するものではない。また、「管体」としては、紙管、鋼管、合成樹脂製の管等が使用されるが、これも限定するものではない。
木杭及び管体の径の大きさや長さ等は、地盤の特性等によって適宜設定されるもので、特に限定するものではない。
【００１９】
本明細書にいう「螺旋体」としては、例えば、棒状体や平板を渦状に巻いて形成してあるもの、軸棒の周りに羽根を螺旋状に設けて形成してあるもの、平板をねじって螺旋状に形成してあるもの等が使用できる。しかし、螺旋体はこれに限定するものではない。
【００２０】
本明細書で「無水部」という用語は、地表近くの地下水等の比較的少ない部分を示す概念として使用しているが、厳密な意味で水がないことを示すものではない。無水部は空気に触れやすいため、木杭を設定した場合では腐食し易い。
また、「常水部」という用語は、無水部より下方の地下水等が比較的多い部分を示す概念として使用しているが、厳密な意味で水が常にあることを示すものではない。木杭はこの常水部では腐食し難く、そのため木杭は常水部に設定されることが好ましい。
【００２１】
本発明で示す杭構成体は、例えば、管状体（中空体）、柱状体（中実体）、少なくとも木杭側が管状に形成してある柱状体等を使用することができる。
また、杭構成体のねじ込み手段は、柱状体（柱状部）や管体（管状部）から突出して設けることもできるし、管体（管状部）の内部に収容した状態で設けることもできる。
【００２２】
本発明で示す基礎用杭は、例えば、振動、打撃、圧入または回転等によって建て込むことができる。
【００２３】
本明細書にいう「基礎」は、主にコンクリートで形成されており、上部に建築物が施工され、当該建築物の重量を地盤に伝える構造体を含む概念である。基礎としては、例えば、独立基礎、布基礎、複合基礎、べた基礎等を挙げることができるが、これに限定するものではない。
【００２４】
本発明でいう「充填材」としては、例えば、▲１▼セメントを砂や砂利、水などと混和したもの（いわゆる、生コンクリートやモルタル状のもの）、▲２▼ゴムあるいはアセチルセルロースなどを有機溶材の混合物に溶かした溶液型接着材、▲３▼溶液のなかでも古くからのデンプン糊や膠のように水に溶かした水溶液型接着材、▲４▼酢酸ビニルのような水に溶けない高分子がコロイド状に水と混合して懸濁しているエマルジョン型接着材、▲５▼常温では固体であるが、所要の温度で軟化し、更に温度を上げると接着に十分な流動性を持つようになる線状高分子の共重合物、例えばエチレン酢酸ビニル共重合物のようなものの熱可塑性を利用するホットメルト型接着材などである。
この中でも、▲１▼のセメントを砂や砂利、水などと混和したものは、固化後は耐圧力性に極めて優れ、取り扱いや作業の容易性あるいはコストの面においても優れているので最も好適であるが、これに限定するものではない。
【００２５】
（作  用）
木杭と、一方側を木杭の上部にねじ込んで、他方側を木杭の上端面から突出して設けられる螺旋体と、管体を備えており、管体の内部に生コンクリートを充填して上記螺旋体を内包した状態で固化させて接合した基礎用杭は、螺旋体が木杭にねじ込んで抜けないように固定され、生コンクリートが固化することにより、管体内のコンクリートと木杭とが離れないように一体化される。
【００２６】
木杭と、ねじ込み手段を備えた杭構成体を備えており、木杭と杭構成体は、ねじ込み手段を木杭の上部にねじ込んで接合した基礎用杭は、ねじ込み手段が木杭の上部にねじ込むことで、杭構成体と木杭とが離れないように一体化される。
【００２７】
少なくとも杭構成体の下部側が、木杭の上部に被嵌可能な管形状に形成してあり、ねじ込み手段が、上記杭構成体の下部側の内周部に設けられ、上記木杭の外周部にねじ込み可能な螺旋体であるものは、杭構成体の下部側を木杭の上部に被嵌して、ねじ込み手段を木杭の外周部にねじ込むことで、杭構成体と木杭が離れないように一体化される。
【００２８】
ねじ込み手段を木杭にねじ込む際に、当該ねじ込み手段が所定の深さ以上にねじ込まれないようにするための停止または防止手段を備えているものは、当該停止または防止手段によってねじ込み手段がねじ込まれないようになったときに、杭構成体をねじ込み方向に回転させることで杭構成体の回転力が木杭にも伝えられ、杭構成体と木杭が一体となって回るようにできる。
【００２９】
ねじ込み手段を木杭にねじ込む際に、当該ねじ込み手段が所定の深さ以上にねじ込まれないようにするための停止部材を備え、当該停止部材は杭構成体の内周部に水密または実質的に水密に設けてあり、また、木杭の上端面と停止部材との間には、基礎用杭にかかる荷重を当該停止部材から木杭の上端面に伝えることができる充填材が充填してあるものは、杭構成体の停止部材と充填材の上下面及び木杭の上端面が互いに密着した状態になっている。従って、杭構成体にかかる荷重は木杭の上端面に偏りなくほぼ均等にかかるので、施工後に構造物の大きな荷重がかかっても木杭の上端面は変形しにくい。これにより木杭の上端面が変形することによる基礎の傾きや沈下が防止できる。
【００３０】
基礎用杭の上部に、基礎が連結または接合して施工されている基礎構造体は、例えば、地盤の緩み等によって建築物の重みが基礎に偏ってかかり、基礎の一部に上方へ浮き上がる力が作用した場合でも、基礎が基礎用杭から外れるのを防止できる。
【００３１】
【発明の実施の形態】
本発明の実施の形態を図面に基づき更に詳細に説明する。
図１は本発明に係る基礎用杭の第１の実施の形態を示し、地盤に建て込んで施工した状態の断面説明図、
図２は木杭等を回転させて地盤に建て込むための回転装置を示す斜視説明図、
図３は木杭を地盤中に建て込み、更に管体を地盤の空洞部に配置するための雇い杭を示す斜視説明図、
図４は木杭の上部に接合する管体を示す斜視説明図、
図５は木杭の上端面にねじ込む螺旋体を示す斜視説明図である。
【００３２】
符号Ｋ１は基礎用杭を示している。基礎用杭Ｋ１は、木杭１と、木杭１の上端面にねじ込まれる螺旋体２と、管体３を備えて形成されている。管体３の内部にはコンクリートが充填してある。
【００３３】
木杭１は、所要長さを有し、上部が径大で下部側にいくにつれて徐々に径小になる形状を有している。木杭１の外周面には、節などによる自然な凹凸部が形成されている。また、木杭１の下端部は、地盤に建て込み易いように削って尖らせてある。木杭１の上端面（木口面）には、螺旋体２を案内するための螺旋体案内孔１０が、長さ方向に所要深さで形成してある（後述する図７参照）。
【００３４】
本実施の形態で木杭１は、長さが約４ｍ、上端面の直径が約２０ｃｍ、先部側（尖らせた部分を除く）の直径が約１０ｃｍのものを使用した（図では長さを途中省略している）。しかし、木杭１は、地盤の特性等によって使用するものが異なるので、長さや径の大きさは特に限定するものではない。
【００３５】
螺旋体２は、所要長さを有する平鋼を、一端側をやや残して、長さ方向を軸方向とする周方向にねじって（スパイラル状に）形成してある。本実施の形態で螺旋体２は、ねじってある状態での長さが約１．６ｍのものを使用した。しかし、螺旋体２の長さ、太さ（径の大きさ）、螺旋のピッチ等は特に限定するものではなく、木杭や地盤の特性等によって適宜設定される。
【００３６】
管体３は、木杭１の上端面上に設けられる。本実施の形態で示す管体３は紙管を使用した。また、管体３は長さが１．４ｍで、直径（外径）が約２０ｃｍのものを使用したが、長さや径の大きさは地盤の特性等によって適宜設定されるものなので、特に限定するものではない。なお、管体３の内部にはコンクリートが充填されるので、内径については、木杭１の上端面の外径と略同等かそれより小さい方が、コンクリートの漏れを防止するうえで好ましい。
【００３７】
基礎用杭Ｋ１は、図２で示す回転装置や図３で示す雇い杭を使用して、地盤に建て込んだ状態で形成される。
回転装置６と雇い杭７について説明する。
回転装置６は、バックホー等の作業機のアーム先端に取り付けて使用される（作業機は図示を省略した）。なお、作業機はバックホーに限定するものではない。
【００３８】
回転装置６は、略円板状の固定プレート６０を備えている。固定プレート６０の下側には、固定プレート６０と略同じ外形状を有する回転プレート６１が、油圧モーター等の駆動力によって固定プレート６０に対して周方向に回転可能に設けてある。回転プレート６１の下面には、回転プレート６１より径の小さい円筒状を有する被嵌筒６２が垂下させて設けてある。
【００３９】
被嵌筒６２の内部には、直角三角形状の板状体で形成してあるくい込み部材６３・・・が、周面側の四箇所に略等間隔で設けてある。各くい込み部材６３は、斜辺側が内方に位置するようにして、回転プレート６１の下面と被嵌筒６２の内周面とに固着してある。
【００４０】
回転装置６は、被嵌筒６２内に木杭１の上部を嵌め入れて、くい込み部材６３の斜辺部分によって木杭１が被嵌筒６２の略中心に位置するよう案内し、くい込み部材６３を木杭１の上端面よりくい込ませて、回転プレート６１の回転により木杭１等を回転させながら地盤に建て込んだりするためのものである。
【００４１】
雇い杭７は、円管状の雇い杭本体７０を有している。雇い杭本体７０の外径は、管体３の内径よりやや径小に設定してある。雇い杭本体７０の上部には、作業機のアームと連結される連結部７１が形成してある。連結部７１の外径は雇い杭本体７０の外径よりやや径大である。
【００４２】
連結部７１のやや下方には吊り具７２，７２が、相互に対向して雇い杭本体７０の周面から突出させて固着してある。各吊り具７２には、ワイヤーロープ等を掛けるための貫通した貫通孔７２０が形成してある。
【００４３】
吊り具７２，７２の下方には、木杭１を建て込む際に、管体３も同時に地盤中に押し込んで配置するための管体押さえ部材７３が設けてある。管体押さえ部材７３は、雇い杭本体７０を挿通させて設けてあり、雇い杭本体７０の長さ方向にスライドして移動可能である。
【００４４】
管体押さえ部材７３は、管体３の上端縁と当接する被せ蓋部７３０と、被せ蓋部７３０の上部に設けてあり、雇い杭本体７０に固定するための固定部７３１を有している。管体押さえ部材７３は、固定部７３１に設けられたボルト７３２・・・をねじ込んで、雇い杭本体７０の所要位置で固定される。また、管体押さえ部材７３は、雇い杭本体７０の長さ方向に移動させて、下方から取り外し可能である。
【００４５】
雇い杭本体７０の下端面は、木杭１の上端面を押圧する押圧面７４である。押圧面７４の略中央部には、雇い杭本体７０の内部と連通する挿通孔７４０が形成してある。挿通孔７４０は、螺旋体２を形成する平鋼の幅長より内径が大きくしてあり、螺旋体２が挿通できるようになっている。
本実施の形態で回転装置６と雇い杭７は金属製のものを使用したが、形成する材料は特に限定するものではない。
【００４６】
図６から図１２は、本実施の形態で示す基礎用杭の施工手順を段階的に示す説明図である。
図６は木杭を回転させて地盤に建て込んだ状態を示す説明図、
図７は木杭の上端面に螺旋体案内孔を形成した状態を示す説明図、
図８は螺旋体案内孔に螺旋体をねじ込んだ状態を示す説明図、
図９は管体を雇い杭本体の下部側に嵌挿し、押圧面を木杭の上端面に当てた状態を示す説明図、
図１０は木杭を雇い杭により建て込んだ状態を示す説明図、
図１１は建て込んだ後に地盤中から雇い杭を引き抜いた状態を示す説明図、
図１２は管体内に生コンクリートを流し込んでいる状態を示す説明図である。
なお、図１２で示す生コンクリートは、図１に示す状態になるよう打設される。実施の形態において、符号Ａは無水部、符号Ｂは常水部を示している。
【００４７】
（作  用）
図１ないし図１２を参照して、本実施の形態で示す基礎用杭Ｋ１の施工手順及びその作用を説明する。
▲１▼木杭１を先部を下に向けて地盤上に立てた状態で、被嵌筒６２を木杭１の上部に嵌め入れる。作業機のアームを下降させて、くい込み部材６３を木杭１の上端面にくい込ませる。回転装置６の回転プレート６１を回転させてアームを下降させることにより、木杭１を回転させながら地盤中に鉛直方向に建て込む（図６参照）。木杭１は上部側がやや地上に残った状態になるまで建て込む。
【００４８】
木杭１は、径小側の先部を下にして建て込むので、建て込み時の抵抗が少なく、作業がし易い。また、木杭１は上部側へ向け次第に直径が大きくなっており、しかも、表面には多数の凹凸部があるので、荷重がかかった場合も沈下抵抗が大きく効果的に杭の沈下が防止できる。
【００４９】
▲２▼木杭１の上端面から螺旋体案内孔１０を長さ方向に所要深さ形成する（図７参照）。螺旋体案内孔１０は、内径が螺旋体２を形成する平鋼の幅長より小さくなるように形成してある。また、螺旋体案内孔１０はドリル等で形成する。なお、螺旋体案内孔１０は、螺旋体２をねじ込み易くするためのものなので、ねじ込みに支障がなければ、必ず形成しなければならないものではない。
【００５０】
▲３▼螺旋体案内孔１０に、螺旋体２の下部側をねじ込んで入れる（図８参照）。螺旋体２は、回転させることで周縁部が螺旋体案内孔１０の内周部にくい込むようにしてねじ込まれる。これにより螺旋体２は木杭１より抜けにくくなる。
【００５１】
▲４▼接合する管体３に合うように、雇い杭７に設けてある管体押さえ部材７３の設置位置を調節する。この管体押さえ部材７３は、雇い杭本体７０の長さ方向にスライドでき、任意の位置に設定可能であるので、種々の長さの管体に対応できる。また、管体押さえ部材７３は、雇い杭本体７０の下方から取り外すことができるので、被せ蓋部の外径の大きさの異なる他の管体押さえ部材と取り替えることもできる。これにより外径が異なる種々の管体に対応させることが可能である。
【００５２】
▲５▼雇い杭７を作業機のアームに設けたワイヤーロープＹで吊り上げ、雇い杭本体７０の外周部に管体３を嵌挿して設ける。そして、雇い杭７を降ろし、螺旋体２を挿通孔７４０に通して雇い杭本体７０の内部に収容させ、押圧面７４を木杭１の上端面に載せる（図９参照）。これにより螺旋体２が、木杭１の建て込み時に邪魔にならないようになる。
【００５３】
▲６▼押圧面７４を木杭１の上端面に載せた状態で、作業機により振動、打撃または圧入工法によって雇い杭７を鉛直方向に押し下げ、木杭１及び螺旋体２を地盤中に建て込む。また、木杭１が地盤中に建て込まれることで、管体押さえ部材７３で押さえられた管体３も下降し、木杭１が通過して形成された地盤中の空洞部に管体３が配置される（図１０参照）。そうして管体３の上部側がやや地上に残った状態になるまで建て込み、常水部Ｂには木杭１が位置し、無水部Ａには管体３が位置するようにする。
【００５４】
▲７▼雇い杭７をワイヤーロープＹで吊り上げて抜き取り、地盤中に中空部を形成する（図１１参照）。中空部は管体３内に形成されるので、地盤の土圧程度ではつぶれない。
【００５５】
▲８▼管体３は、上部側が地上に残してあり基礎Ｓの型枠内に突出した状態になっている。この状態で管体３の内部に生コンクリートＣを流し込む（図１２参照）。生コンクリートＣは、螺旋体２を内包するようにして管体３内に充填される。管体３内に流し込んだ後、生コンクリートＣはそのまま基礎Ｓも形成するように型枠内に打設される（図１参照）。
【００５６】
基礎Ｓと管体３は、生コンクリートＣが固化することにより、基礎Ｓのコンクリートと管体３内のコンクリートが一体化される。また、管体３内のコンクリートは螺旋体２を内包しているので、管体３内のコンクリートと螺旋体２も一体化される。更に、螺旋体２は、木杭１にねじ込んで抜けないように固定してある。つまり、生コンクリートＣが固化することにより、基礎Ｓと、管体３内のコンクリートと木杭１とが一体化された基礎用杭Ｋ１が、地盤中に形成される（図１参照）。
【００５７】
基礎用杭Ｋ１は、上記したように基礎Ｓと、管体３内のコンクリートと、木杭１とが一体となっている。これにより、例えば、地盤の緩み等によって建築物の重みが基礎Ｓに偏ってかかり、基礎Ｓの一部に上方へ浮き上がる力が作用した場合でも、基礎Ｓが基礎用杭Ｋ１から外れたり、管体３内のコンクリートが木杭１から離れたりすることを防止できる。従って、基礎用杭Ｋ１は、基礎Ｓを浮き上がらせる力の抵抗となることができ、基礎Ｓの傾き防止が期待できる。
【００５８】
螺旋体２は、管体３の内部に長さ方向に延びて設けてあるので、固化したコンクリートを補強するための芯部材としても機能する。
【００５９】
本実施の形態で基礎用杭Ｋ１は、地盤中に建て込んだ状態で形成したが、これは限定するものではない。例えば、地盤に建て込まない状態で木杭と管体とを接合し、更に管体内に生コンクリートを充填することで、建て込み前に形成することもできる。
【００６０】
図１３は本発明に係る基礎用杭の第２の実施の形態を示し、地盤に建て込んで施工した状態を表した断面説明図、
図１４は木杭の上部に接合する杭構成体を示す斜視説明図、
図１５は図１４に示す杭構成体の下部側を拡大して示す要部説明図である。
なお、図１３ないし図１５において、上記図１ないし図１２で示したものと同一または同等箇所には同一の符号を付して示している。また、以下の説明において構造について上記で示した箇所と重複する説明は省略する。
【００６１】
符号Ｋ２は基礎用杭を示している。基礎用杭Ｋ２は、木杭１と、木杭１の上部に接合される杭構成体４と、芯部材５を備えて形成されている。杭構成体４の内部にはコンクリートが充填してある。
【００６２】
杭構成体４は、所要長さを有し、木杭１の上端面の外径よりもやや大きい内径を有する管体４０を備えている。なお、管体４０の内径は、木杭１の上端面の外径と同じくらいでも良いし、やや小さくても良い。管体４０の下部側の内周面には、杭構成体４を木杭１にねじ込んで接合するためのねじ込み手段である螺旋部材４１，４１が設けてある。各螺旋部材４１は、鉄製の異形筋を、管体４０の内周面に沿うように螺旋状に巻いて形成してある。螺旋部材４１，４１は、下端が管体４０の下縁部の対向する位置にそれぞれ設けられるようにして二箇所に溶接してある。
【００６３】
管体４０内の螺旋部材４１，４１の上端が位置する部分には、螺旋部材４１，４１が所定の深さ以上にねじ込まれないようにする停止手段である停止板４２が、外縁部を管体４０の内周面に溶接して設けてある。停止板４２の略中央部には、芯部材５の直径よりも大きな径を有する貫通孔４２０が形成してある。
【００６４】
管体４０の上部側の外周部には、基礎が基礎用杭Ｋ２より外れないようにするための外れ防止部材４３が設けてある。外れ防止部材４３は、異形筋を管体４０の外周面に沿うように略一周にわたって巻いて形成してある。
【００６５】
本実施の形態で管体４０は、長さが約１．５ｍで、外径２４ｃｍ、内径２１ｃｍの鋼管を使用した。しかし、管体の長さや径の大きさは地盤の特性等によって適宜設定されるものであり、特に限定するものではない。また、強度等に支障がなければ、合成樹脂やコンクリート製の管を使用することもできる。
【００６６】
芯部材５は、所要長さを有する鉄製の異形筋を使用している。しかし、芯部材はこれに限定するものではなく、例えば、板状・棒状の鉄筋、断面形状が円形状・正方形状・長方形状・多角形状等の丸棒や異形筋等を使用することができる。また、芯部材は、中実体でも良いし、中空体（パイプ）でも良い。
【００６７】
基礎用杭Ｋ２を形成する木杭１や杭構成体４は、後述するように図２で示す回転装置６を使用して地盤に建て込まれる。
【００６８】
図１６から図１８は、本実施の形態で示す基礎用杭の施工手順を段階的に示す説明図である。
図１６は地盤に建て込んだ木杭の上部に、杭構成体をねじ込んで接合した状態を示す説明図、
図１７は木杭及び杭構成体を建て込んだ状態を示す説明図、
図１８は杭構成体内に生コンクリートを流し込んでいる状態を示す説明図である。
なお、図１８で示す生コンクリートは、図１３に示す状態になるよう打設される。実施の形態において、符号Ａは無水部、符号Ｂは常水部を示している。
【００６９】
（作  用）
図１３ないし図１８を参照して、本実施の形態で示す基礎用杭の施工手順及びその作用を説明する。
▲１▼木杭１を、回転させながら地盤中に鉛直方向に建て込む。この工程の詳細な説明は、上記基礎用杭Ｋ１と同様なので省略する。
【００７０】
▲２▼木杭１の上端面に芯部材挿通孔１１を長さ方向に所要深さ形成する。芯部材挿通孔１１は、芯部材５の直径よりやや大きな内径を有するように形成する。
【００７１】
▲３▼芯部材挿通孔１１に芯部材５を挿入する。
【００７２】
▲４▼杭構成体４を上方から降ろし、芯部材５を貫通孔４２０に通して管体４０の内部に収容して、螺旋部材４１，４１の下端部を木杭１の上端面に載せる。これにより芯部材５は、木杭１の建て込み時に邪魔にならないようになる。
【００７３】
▲５▼螺旋部材４１，４１の下端部を木杭１の上端面に載せた状態で、回転装置６の被嵌筒６２を杭構成体４の上部に嵌め入れる。そして、作業機のアームにより下向きに力をかけながら回転プレート６１を回転させる。回転プレート６１を回転させることで、くい込み部材６３が外れ防止部材４３を形成する異形筋の凸部に引っ掛かるので、杭構成体４には回転力が与えられ易い。こうして杭構成体４を回転させ、螺旋部材４１，４１を木杭１の上部にねじ込む（図１６参照）。このとき木杭１は回転しないかまたは実質的に回転しない。
【００７４】
螺旋部材４１，４１は木杭１にねじ込まれると、木杭１の上端面が停止板４２の下面にあたる。上端面が停止板４２の下面にあたると、螺旋部材４１，４１はそれ以上ねじ込まれず、この状態で木杭１と杭構成体４は一体化される。
【００７５】
▲６▼螺旋部材４１，４１が木杭１の上部にねじ込まれた状態から、更に作業機のアームにより下向きに力をかけながら回転プレート６１を回転させる。杭構成体４をねじ込み方向に回転させることにより、その回転力は木杭１にも伝えられ、杭構成体４と木杭１は一体となって回る。こうして木杭１と杭構成体４を共に回転させて、杭構成体４の上部側がやや地上に残った状態になるまで建て込み、常水部Ｂには木杭１が位置し、無水部Ａには杭構成体４が位置するようにする（図１７参照）。
【００７６】
▲７▼杭構成体４の内部に生コンクリートＣを流し込む（図１８参照）。生コンクリートＣは、芯部材５を内包するようにして杭構成体４内に充填される。杭構成体４内に流し込んだ後、生コンクリートＣはそのまま基礎Ｓも形成するように型枠内に打設される（図１３参照）。
【００７７】
基礎Ｓと杭構成体４は、生コンクリートＣが固化することにより、基礎Ｓのコンクリートと杭構成体４内のコンクリートが一体化される。また、杭構成体４は螺旋部材４１，４１を木杭１にねじ込んで抜けないように固定してある。つまり、生コンクリートＣが固化することにより、基礎Ｓと、杭構成体４と、木杭１とが一体化された基礎用杭Ｋ２が、地盤中に形成される（図１３参照）。
【００７８】
本実施の形態によれば、杭構成体４の螺旋部材４１，４１を木杭１にねじ込んで、木杭１の上端面が停止板４２の下面にあたることにより、螺旋部材４１，４１のねじ込みを停止させることができる。これにより杭構成体４に与えた回転力が木杭１にも伝えられるようになる。従って、杭構成体４を接合した木杭１でも、杭構成体４と共に回転させて、振動や騒音等が殆ど発生しない状態で建て込むことができる。
【００７９】
基礎用杭Ｋ２は、上記したように基礎Ｓと、杭構成体４と、木杭１とが一体となっている。しかも基礎Ｓ内には、管体４０の外周部に固着された外れ防止部材４３が埋め込まれているので、基礎Ｓは基礎用杭Ｋ２から離れないようになっている。これにより、例えば、地盤が緩み等によって建築物の重みが基礎Ｓに偏ってかかり、基礎Ｓの一部に上方へ浮き上がる力が作用した場合でも、基礎Ｓが基礎用杭Ｋ２から外れたり、杭構成体４が木杭１から離れたりするのを防止できる。従って、基礎用杭Ｋ２は、基礎Ｓを浮き上がらせる力の抵抗となることができ、基礎Ｓの傾き防止が期待できる。
【００８０】
基礎用杭Ｋ２では、杭構成体４の内部に生コンクリートＣを充填したが、これも限定するものではなく、生コンクリートＣの代わりに例えば、砂、砂利、石等を入れたり、これらを生コンクリートと混ぜて入れたりすることもできる。また、なにも入れないようにもできる。
【００８１】
図１９は本発明に係る基礎用杭の第３の実施の形態を示し、地盤に建て込んで施工した状態を表した断面説明図、
図２０は木杭の上部に接合する杭構成体を示す斜視説明図である。
なお、図１９及び図２０において、上記図１ないし図１８で示したものと同一または同等箇所には同一の符号を付して示している。また、以下の説明において構造について上記で示した箇所と重複する説明は省略する。
【００８２】
符号Ｋ３は基礎用杭を示している。基礎用杭Ｋ３は、木杭１と、木杭１の上部に接合される杭構成体８を備えて形成されている。
【００８３】
杭構成体８は、管体８０と管体８０の上部側に配置されているコンクリート部８１を備えている。管体８０は、所要長さを有し、木杭１の上端面の外径よりもやや大きい内径を有する。コンクリート部８１は、管体８０と略同じ外径を有するように成形してある。なお、管体８０の内径は、木杭１の上端面の外径と同じくらいでも良いし、やや小さくても良い。また、杭構成体８の内部には、コンクリート部８１と管体８０の略全長にわたり、更に下部側を管体８０の下縁部よりもやや突出させた芯部材８２が設けてある。
【００８４】
管体８０の下部側の内周面には、ねじ込み手段である螺旋部材４１，４１が設けてある。この螺旋部材４１，４１の上端が位置する部分には、停止手段である停止板４２が設けてある。停止板４２の略中央部には貫通孔４２０が形成してある。停止板４２は外縁部を管体８０の内周面に溶接して設けてある。また、貫通孔４２０には、芯部材８２が挿通させてあり、溶接により停止板４２と固定して設けてある。上記した停止板４２は、外縁部と管体８０の内周面との間と、貫通孔４２０と芯部材８２との間が実質的に水密になるようしてある。
【００８５】
管体８０の上部側の内面には、コンクリート部８１に埋め込んで、コンクリート部８１と管体８０との連結を強固にするための埋込部材８３が内側に突設してある。埋込部材８３は、管体８０の周方向に等間隔で四箇所に設けてある。
【００８６】
コンクリート部８１は、生コンクリートを管体８０内の停止板４２より上部分に流し込み、管体８０の上部に所要長さを有する柱状体が設けられるように成形して管体８０と一体化してある。
【００８７】
コンクリート部８１の上面部には、金属でできた円板状の固定板体８４が設けてある。固定板体８４は、コンクリート部８１と略同じ外径を有しており、略中央には、貫通孔８４０が芯部材８２の外径よりやや大きな径で形成してある。
固定板体８４は、周縁側の四箇所に下方に突出してアンカー部材８４１が設けてあり、このアンカー部材８４１をコンクリート部８１に埋めて、更に芯部材８２の上部と貫通孔８４０を溶接することで固定してある。
【００８８】
また、固定板体８４の厚み部分の周面には、回転装置６を杭構成体８の上部に被冠した際にくい込み部材６３を引っ掛けるための係合部材８４２が、コンクリート部８１の周面よりも外方へ突出させて、周方向に等間隔で四箇所に溶接してある。本実施の形態で係合部材８４２は、長方形状の金属片を使用している。この係合部材８４２は、基礎Ｓとなる生コンクリートで埋めることにより、基礎が基礎用杭Ｋ３より外れないようにする外れ防止部材としての作用も奏する。
【００８９】
本実施の形態で管体８０は、長さが約６５ｃｍで、外径２４ｃｍ、内径２１ｃｍの鋼管を使用した。しかし、管体の長さや径の大きさは地盤の特性等によって適宜設定されるものであり、特に限定するものではない。また、強度等に支障がなければ、合成樹脂やコンクリート製の管を使用することもできる。
また、コンクリート部８１の長さは、管体８０の上部に設けた部分（管体８０内に充填した部分を除く）が約８５ｃｍになるようにしたが、これも同様の理由により限定するものではない。
【００９０】
芯部材８２は、所要長さを有する鉄製の異形筋を使用している。しかし、芯部材はこれに限定するものではなく、例えば、板状・棒状の鉄筋、断面形状が円形状・正方形状・長方形状・多角形状等の丸棒や異形筋等を使用することができる。また、芯部材は、中実体でも良いし、中空体（パイプ）でも良い。
【００９１】
（作  用）
図１９及び図２０を参照して、本実施の形態で示す基礎用杭の施工手順を説明する。なお、上記した基礎用杭Ｋ２と重複する説明は省略する。
▲１▼杭構成体８を上方から降ろし、芯部材８２を木杭１の上端面に形成した芯部材挿通孔に差し込み、螺旋部材４１，４１の下端部を、既に地面に建て込んだ木杭１の上端面に載せた状態にする。
【００９２】
▲２▼回転装置６の被嵌筒６２を杭構成体８の上部に嵌め入れ、作業機のアームにより下向きに力をかけながら回転プレート６１を回転させる。回転プレート６１を回転させることで、くい込み部材６３が係合部材８４２に引っ掛かり、杭構成体８を回転させる。杭構成体８は、固定板体８４がコンクリート部８１に固定してあり、コンクリート部８１が埋込部材８３によって管体８０と一体にしてあるので、杭構成体８の全体に回転力が伝えられる。こうして杭構成体８が回転され、螺旋部材４１，４１が木杭１の外周部に上部にねじ込まれる。
【００９３】
▲３▼杭構成体８を上部側がやや地上に残った状態になるまで建て込み、常水部Ｂには木杭１が位置し、無水部Ａには杭構成体８が位置するようにする（図１９参照）。
【００９４】
▲４▼地盤上に組まれた型枠（図示省略）内に生コンクリートを流し込んで、杭構成体８を埋めるようにして基礎Ｓを形成する（図１９参照）。
【００９５】
基礎用杭Ｋ３によれば、基礎用杭Ｋ２のように杭構成体の内部に生コンクリートを流し込む必要がないので、その分手間がかからず施工がより簡単にできる。
本実施の形態で示す基礎用杭Ｋ３の他の作用は、上記した基礎用杭Ｋ２と略同一であるので説明は省略する。
【００９６】
上記実施の形態で螺旋部材４１は異形筋を使用したが、木杭１にねじ込み可能であれば、螺旋部材４１はこれに限定するものではない。例えば、外形状が板状・棒状のもの、断面形状が円形状・正方形状・長方形状・多角形状等のものを使用することもできる。
【００９７】
また、第２、第３の本実施の形態で螺旋部材４１は、管体４０、８０の略一周にわたって螺旋状に巻いて形成したが、これも限定するものではなく、例えば、複数の部材を螺旋状に断続的に設けて形成することもできるし、雌ねじと同じようなネジ部を形成することもできる。
更に、螺旋部材４１の巻き状態は、管体４０、８０の略一周より少なくても良い（例えば略半周）し、多くても良い（例えば略二周）。また、ピッチも任意に設定可能である。
更にまた、本実施の形態で螺旋部材４１は二箇所に設けたが、これも限定するものではなく、一箇所でも良いし、三箇所以上でも良い。
【００９８】
上記実施の形態では、螺旋部材４１，４１が所定の深さ以上にねじ込まれないようにするための停止手段として、停止板４２を使用したが、これも限定するものではない。この手段は、螺旋部材４１，４１が所定の深さ以上にねじ込まれないように木杭を所定位置で停止できれば良く、例えば、管体内に突出片を設けたもの、棒体を管体に貫通させたものでも良い。
【００９９】
第２の実施の形態で外れ防止部材４３は異形筋を使用し、第３の実施の形態で係合部材８４２は長方形状の金属片をしたが、これは特に限定するものではない。これらは、管体４０、８０の外周面または上縁部から外方に突出して基礎Ｓに埋め込まれ、基礎Ｓを浮き上がらせる力が基礎用杭にかかるようにしてあれば良い。例えば、外れ防止部材４３は、管体４０の外周面の周りに略一周にわたって巻いて設けたが、螺旋状に設けたものでも良いし、断続的に設けたものでも良い。なお、外れ防止部材に、回転装置６のくい込み部材６３が引っ掛かったりする等して、回転力を受け易くする箇所が形成できなければ、当該箇所は管体４０の上部等に設けることもできる。また、回転装置の押圧力により杭構成体４が回転できれば、回転装置による回転力を受け易くする箇所は必ずしも設けなくて良い。
【０１００】
上記実施の形態で示す基礎用杭Ｋ２、Ｋ３では、芯部材５、８２の代わりに上記基礎用杭Ｋ１で使用した螺旋体２またはそれと同等のものを使用することもできる。この場合では、杭構成体と木杭とをより強固に一体化することができる。また、上記実施の形態で設けた芯部材５、８２は、コンクリート部分の強度を得るためのものであるが、芯部材５，８２を設けずとも十分な強度が得られるのであれば必ずしも設ける必要はない。
【０１０１】
ところで木杭は、松などの自然木を切り出して成形したものであり、木杭の軸線方向と切断面である上端面は、必ずしも直角にはなっていない。このため、木杭を地面に建て込むときに垂直に設けたとしても、木杭の上端面は地面と平行になっていないことがある。このような木杭に杭構成体Ｋ２，Ｋ３をねじ込んだ場合では、木杭の上端面が停止板４２の一部分にしか接触せず、隙間が形成されることがある。隙間があれば、例えば、基礎施工後に構造物の大きな荷重がかかったときに、木杭の上端面が停止板４２と全面で圧接されるように変形し、その変形差分によって、地盤が沈下したり傾いたりする可能性がある。
【０１０２】
従って、このように木杭の上端面が地面と平行になっていない場合では、図２１に示すように、木杭の上端面上に流動性を有する充填材を設けた状態で杭構成体Ｋ２，Ｋ３を接合し、隙間を充填材で埋めるようにすることが有効である。この充填材としては、例えば、適量のセメントと砂と水を混練したモルタルが好適であるが、充填材はこれに限定するものではない。
【０１０３】
図２１は図２０に示す杭構成体を木杭の上部に接合する方法を示す説明図である。図２１（ａ）は建て込まれた木杭の上端面にモルタルを盛って杭構成体を接合している状態を示しており、図２１（ｂ）は木杭と杭構成体とを接合して地面に建て込んでいる状態を示している。
図２１を参照して、杭構成体Ｋ３を木杭１ａに接合する際の作用を説明する。なお、この場合の杭構成体Ｋ２の作用は、杭構成体Ｋ３と略同じであるので説明は省略する。
【０１０４】
▲１▼上部側がやや地上に残った状態になるまで木杭１ａを建て込み、芯部材挿通孔１１を形成した木杭１ａの上端面１２に適量のモルタル１３を盛る（図２１（ａ）参照）。
【０１０５】
▲２▼杭構成体Ｋ３を上方から降ろし、芯部材８２を芯部材挿通孔１１に差し込んで螺旋部材４１，４１の下端部を木杭１ａの上端面１２に載せた状態にする。
【０１０６】
▲３▼回転装置６の回転プレート６１を回転させて、螺旋部材４１，４１を木杭１ａの上部にねじ込んで、杭構成体Ｋ３を木杭１ａに接合する。
【０１０７】
このとき木杭１ａの上端面１２上に盛られたモルタル１３は、流動性を有しているので杭構成体Ｋ３を木杭１ａにねじ込むことにより、停止板４２の下面と木杭１ａの上端面１２との間に隙間を埋めるようによく馴染んで充填される。なお、モルタル１３は管体８０内で実質的に密封されており、外部へはほとんど流出しない。また、モルタル１３は所要時間経過後に硬化する。
【０１０８】
これにより杭構成体Ｋ３の停止板４２と木杭１ａの上端面１２が平行でない場合でも、杭構成体Ｋ３にかかる荷重は、停止板４２からモルタル１３を介して木杭１ａの上端面１２にほぼ均等に伝えることができる。
従って、杭構成体Ｋ３に構造物の大きな荷重がかかった場合でも、木杭１ａの上端面１２は変形しにくく、その変形により基礎の傾きや沈下が起こることが防止できる。なお、杭構成体Ｋ２の場合では、停止板４２の貫通孔４２０と芯部材５は溶接等により固定して、その間に実質的に隙間が形成されないようにしておく必要がある。
【０１０９】
また、本発明に係る基礎用杭は、上記実施の形態で示すものに限定するものではなく、例えば、図示はしていないが下端面から螺旋体が突出するよう埋め込んで成形してあるコンクリート杭（柱状体）を、木杭の上部に螺旋体をねじ込んで一体化して形成されたものを使用することもできる。この基礎用杭では、螺旋体を木杭にねじ込むことで、コンクリート杭の下端面と木杭の上端面とが接した状態で、木杭とコンクリート杭とが一体化できる。
この基礎用杭の場合も、螺旋体がねじ込んであるのでコンクリート杭は木杭より離れず、基礎を浮き上がらせる力の抵抗となることができる。また、コンクリート杭の下面と木杭の上面とが接した状態で、コンクリート杭をねじ込み方向に回転させることにより、コンクリート杭と木杭は一体となって回るので、コンクリート杭に与えた回転力は木杭にも伝えられ、木杭もコンクリート杭と共に回転させて建て込むことができる。
【０１１０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【０１１１】
【発明の効果】
本発明は上記構成を備え、次の効果を有する。
（ａ）木杭と、一方側を木杭の上部にねじ込んで、他方側を木杭の上端面から突出して設けられる螺旋体と、管体を備えており、管体の内部に生コンクリートを充填して上記螺旋体を内包した状態で固化させて接合した基礎用杭は、螺旋体が木杭にねじ込んで抜けないように固定され、生コンクリートが固化することにより、管体内のコンクリートと木杭とが離れないように一体化される。
また、木杭と、ねじ込み手段を備えた杭構成体を備えており、木杭と杭構成体は、ねじ込み手段を木杭の上部にねじ込んで接合した基礎用杭は、ねじ込み手段が木杭の上部にねじ込むことで、杭構成体と木杭とが離れないように一体化される。
従って、上記基礎用杭において、例えば、当該基礎用杭が基礎とが一体に固定してあれば、地盤の緩み等によって建築物の重みが基礎に偏ってかかり、基礎の一部に上方へ浮き上がる力が作用した場合でも、管体内のコンクリートや杭構成体は木杭から離れたりすることを防止できる。つまり、基礎用杭は、基礎を浮き上がらせる力の抵抗となることができ、基礎の傾き防止が期待できる。
【０１１２】
（ｂ）少なくとも杭構成体の下部側が、木杭の上部に被嵌可能な管形状に形成してあり、ねじ込み手段が、上記杭構成体の下部側の内周部に設けられ、上記木杭の外周部にねじ込み可能な螺旋体であるものは、杭構成体の下部側を木杭の上部に被嵌して、ねじ込み手段を木杭の外周部にねじ込むことで、杭構成体と木杭が離れないように一体化される。
【０１１３】
（ｃ）ねじ込み手段を木杭にねじ込む際に、当該ねじ込み手段が所定の深さ以上にねじ込まれないようにするための停止または防止手段を備えているものは、当該停止または防止手段によってねじ込み手段がねじ込まれないようになったときに、杭構成体をねじ込み方向に回転させることで杭構成体の回転力が木杭にも伝えられ、杭構成体と木杭が一体となって回すことが可能になる。
従って、上記構成を有する基礎用杭は、杭構成体と木杭を接合したものであるが、杭構成体と木杭とを共に回転させて振動や騒音等が殆ど発生しない状態で建て込むことができる。
【０１１４】
（ｄ）ねじ込み手段を木杭にねじ込む際に、当該ねじ込み手段が所定の深さ以上にねじ込まれないようにするための停止部材を備え、当該停止部材は杭構成体の内周部に水密または実質的に水密に設けてあり、また、木杭の上端面と停止部材との間には、基礎用杭にかかる荷重を当該停止部材から木杭の上端面に伝えることができる充填材が充填してあるものは、杭構成体の停止部材と充填材の上下面及び木杭の上端面が互いに密着した状態になっている。
従って、杭構成体にかかる荷重は木杭の上端面に偏りなくほぼ均等にかかるので、施工後に構造物の大きな荷重がかかっても木杭の上端面は変形しにくい。これにより木杭の上端面が変形することによる基礎の傾きや沈下が防止できる。
【０１１５】
（ｅ）基礎用杭の上部に、基礎が連結または接合して施工されている基礎構造体は、例えば、地盤の緩み等によって建築物の重みが基礎に偏ってかかり、基礎の一部に上方へ浮き上がる力が作用した場合でも、基礎は基礎用杭から外れるのを防止できる。
【図面の簡単な説明】
【図１】本発明に係る基礎用杭の第１の実施の形態を示し、地盤に建て込んで施工した状態の断面説明図。
【図２】木杭等を回転させて地盤に建て込むための回転装置を示す斜視説明図。
【図３】木杭を地盤中に建て込み、更に管体を地盤の空洞部に配置するための雇い杭を示す斜視説明図。
【図４】木杭の上部に接合する管体を示す斜視説明図。
【図５】木杭の上端面にねじ込む螺旋体を示す斜視説明図。
【図６】木杭を回転させて地盤に建て込んだ状態を示す説明図。
【図７】木杭の上端面に螺旋体案内孔を形成した状態を示す説明図。
【図８】螺旋体案内孔に螺旋体をねじ込んだ状態を示す説明図。
【図９】管体を雇い杭本体の下部側に嵌挿し、押圧面を木杭の上端面に当てた状態を示す説明図。
【図１０】木杭を雇い杭により建て込んだ状態を示す説明図。
【図１１】建て込んだ後に地盤中から雇い杭を引き抜いた状態を示す説明図。
【図１２】管体内に生コンクリートを流し込んでいる状態を示す説明図。
【図１３】本発明に係る基礎用杭の第２の実施の形態を示し、地盤に建て込んで施工した状態を表した断面説明図。
【図１４】木杭の上部に接合する杭構成体を示す斜視説明図。
【図１５】図１４に示す杭構成体の下部側を拡大して示す要部説明図。
【図１６】地盤に建て込んだ木杭の上部に、杭構成体をねじ込んで接合した状態を示す説明図。
【図１７】木杭及び杭構成体を建て込んだ状態を示す説明図。
【図１８】杭構成体内に生コンクリートを流し込んでいる状態を示す説明図。
【図１９】本発明に係る基礎用杭の第３の実施の形態を示し、地盤に建て込んで施工した状態を表した断面説明図。
【図２０】木杭の上部に接合する杭構成体を示す斜視説明図。
【図２１】図２０に示す杭構成体を木杭の上部に接合する方法を示す説明図。
【符号の説明】
Ｋ１，Ｋ２，Ｋ３  基礎用杭
Ｙ  ワイヤーロープ
Ａ  無水部
Ｂ  常水部
Ｃ  生コンクリート
Ｓ  基礎
１，１ａ  木杭
１０  螺旋体案内孔
１１  芯部材挿通孔
１２  上端面
１３  モルタル
２  螺旋体
３  管体
４  杭構成体
４０  管体
４１  螺旋部材
４２  停止板
４２０  貫通孔
４３  外れ防止部材
５  芯部材
６  回転装置
６０  固定プレート
６１  回転プレート
６２  被嵌筒
６３  くい込み部材
７  雇い杭
７０  雇い杭本体
７１  連結部
７２  吊り具
７２０  貫通孔
７３  管体押さえ部材
７３０  被せ蓋部
７３１  固定部
７３２  ボルト
７４  押圧面
７４０  挿通孔
８  杭構成体
８０  管体
８１  コンクリート部
８２  芯部材
８３  埋込部材
８４  固定板体
８４０  貫通孔
８４１  アンカー部材
８４２  係合部材
【図１】
0003939600.tif 000002
【図２】
0003939600.tif 000003
【図３】
0003939600.tif 000004
【図４】
0003939600.tif 000005
【図５】
0003939600.tif 000006
【図６】
0003939600.tif 000007
【図７】
0003939600.tif 000008
【図８】
0003939600.tif 000009
【図９】
0003939600.tif 000010
【図１０】
0003939600.tif 000011
【図１１】
0003939600.tif 000012
【図１２】
0003939600.tif 000013
【図１３】
0003939600.tif 000014
【図１４】
0003939600.tif 000015
【図１５】
0003939600.tif 000016
【図１６】
0003939600.tif 000017
【図１７】
0003939600.tif 000018
【図１８】
0003939600.tif 000019
【図１９】
0003939600.tif 000020
【図２０】
0003939600.tif 000021
【図２１】
0003939600.tif 000022